(57)【要約】      （修正有）【課題】  枕本来の機能を損なうことなく安眠ができると共に、防災用品等の収納及び取り出しが容易な、防災用品収納枕を得る。【解決手段】  就寝時における頭頂部側の厚さが後頭部を載せる面の厚さより厚く形成した発泡樹脂製の枕本体２において、前記頭頂部側の枕本体の長手方向側面に孔３を貫通させると共に当該孔内に防災用品等を収納するための筒体４を挿入し、更に前記枕本体を枕カバーで覆うことにより構成する。前記枕本体の発泡樹脂は、ウレタンフォーム又は低反発ウレタンフォームの何れかが好ましい。【選択図】図１
0003121309.tif 000002
【実用新案登録請求の範囲】
【請求項１】
就寝時における頭頂部側の厚さが後頭部を載せる面の厚さより厚く形成した発泡樹脂製の枕本体において、前記頭頂部側の枕本体の長手方向側面に孔を貫通させると共に当該孔内に防災用品等を収納するための筒体を挿入し、更に前記枕本体を枕カバーで覆うことにより構成したことを特徴とする、防災用品収納枕。
【請求項２】
枕本体の発泡樹脂が、ウレタンフォーム又は低反発ウレタンフォームの何れかであることを特徴とする、請求項１に記載の防災用品収納枕。
【請求項３】
筒体の外表面を軟質樹脂であるエラストマ樹脂体で覆ったことを特徴とする、請求項１又は請求項２に記載の防災用品収納枕。
【考案の詳細な説明】
【技術分野】
【０００１】  本考案は、災害発生時特に就寝中に地震や火災等が発生した場合において、安全に避難を行うための防災用品等を収納することができる、防災用品収納枕に関するものである。
【背景技術】
【０００２】  就寝中において地震や火災等の災害が発生した場合、まず自分自身の命を守るため逸早く避難する必要がある。該状況下においては避難するのに必要な物品や貴重品を探しに行く暇もないため、前記災害発生時に備えて予め携帯ラジオ，懐中電灯，防災頭巾，スリッパ，印鑑，預金通帳，非常食等を防災リュックに入れて保管しているところもある。【０００３】  上記防災リュックが常に枕元に配備してあれば問題ないが、実際には壁に吊り下げたり棚に入れて保管していることが多く、就寝中に地震や火災等が突然発生した場合には、前記防災リュックを探したり取りに行くのが困難であった。【０００４】  上記問題点を解決すべく、例えば実用新案登録第３０１８０３４号公報の『防災枕』においては、上下分割可能な容器に非常用携帯品を入れるための物入れを形成し、前記容器をマットで巻き付け、更に前記マットを枕カバーで包む構造の防災枕が提案され、実用新案登録第３０２１３６４号公報の『防災用具』においては、容器に防災用品を入れるための収納凹部を形成し、前記容器の上面にクッション部材を載置し、更に前記容器及びクッション部材をカバーで包む構造のクッション兼用の防災枕が提案されている。【０００５】
【特許文献１】実用新案登録第３０１８０３４号
【特許文献２】実用新案登録第３０２１３６４号
【考案の開示】
【考案が解決しようとする課題】
【０００６】  しかしながら、上記実用新案登録第３０１８０３４号公報の防災枕は、枕の形状が円筒状であるため回転し易く、枕内の非常用携帯品が物入れ内で混在してしまうため、容器を開けたときに乱雑状態になっている可能性があるという問題点があった。更には、枕の高さが高く頭にフィットしないため、安眠できないという問題点もあった。また、上記実用新案登録第３０２１３６４号公報の防災枕は、防災用品を入れた容器の上面にクッション部材を載置するため、防災用品の大きさ及び形状によってはその凹凸が直に頭に当ってしまい、安眠できないという問題点があった。更には、防災用品の収納及び取り出しを行うためにはカバーの２辺に渡ってファスナーを開ける必要があり面倒であるという問題点もあった。【０００７】  本考案は、上記問題点を解決するために成されたものであり、枕本来の機能を損なうことなく安眠ができると共に、防災用品等の収納及び取り出しが容易な、防災用品収納枕を提供することを目的とする。
【課題を解決するための手段】
【０００８】  上記課題を解決するため、本考案の防災用品収納枕においては、就寝時における頭頂部側の厚さが後頭部を載せる面の厚さより厚く形成した発泡樹脂製の枕本体において、前記頭頂部側の枕本体の長手方向側面に孔を貫通させると共に当該孔内に防災用品等を収納するための筒体を挿入し、更に前記枕本体を枕カバーで覆うことにより構成する。
【考案の効果】
【０００９】  本考案の防災用品収納枕によれば、防災用品等の収納箇所が頭頂部側にあり、後頭部を載せる面の内部には防災用品が収納されないため、枕本来の機能を損なうことなく安眠ができるという効果を奏する。また、防災用品等の収納及び取り出しを行うには枕カバーの長手方向側面にあるファスナーを開閉して行うため、収納及び取り出しが容易にできるという効果を奏する。従って、就寝中に地震や火災等の災害が発生した場合、避難するのに必要な物品や貴重品を探しに行くこともなく、余裕を持って自分自身の命を守るための迅速な避難ができるという絶大なる効果を奏する。
【考案を実施するための最良の形態】
【００１０】  考案を実施するための最良の形態を図を用いて説明する。【００１１】  図１は本考案の防災用品収納枕の構造を示す斜視図であり、図３は図１おけるＡ−Ａ断面図である。該図に示すように防災用品収納枕の枕本体２は、発泡樹脂を頭頂部側の厚さｈ１が後頭部を載せる面の厚さｈ２より厚くなるように形成し、前記頭頂部側の枕本体２の長手方向側面に孔３を貫通させると共に当該孔内３に防災用品等を収納するための筒体４を挿入して構成する。なお、前記筒体４の内部が防災用品等を収納するための収納空間５となる。【００１２】  上記枕本体２の素材である発泡樹脂は、ウレタンフォーム又は低反発ウレタンフォームの何れかが好ましいが、これに限定せず他の弾力性を有する素材を使用しても構わない。また筒体４は、プラスチック管又は紙管の何れかが好ましいが、これに限定せず他の素材を使用しても構わない。【００１３】  また、図４は図３の他の実施例における断面図である。該図に示すように筒体４の外表面を軟質樹脂であるエラストマ樹脂体８で覆うことにより筒体４の外面部の弾力性が増加するため、仮に後頭部が筒体４の上部に載っても違和感なく安眠を続けることができる。【００１４】  また、図２は本考案の防災用品収納枕の外観を示す斜視図である。該図に示すように上記のように構成した枕本体２を枕カバー６で覆うことにより、防災用品収納枕１となる。該防災用品収納枕１の長手方向側面部の少なくとも片側、好ましくは両側にファスナー７を具備し、該ファスナー７を開閉して筒体４の収納空間５を露出することにより、必要最小限な防災用品として例えば携帯ラジオ，懐中電灯，ホイッスル等と、必要に応じて例えばメガネ，スリッパ等と、貴重品として例えば印鑑，預金通帳等の収納と取り出しが容易に行える。【００１５】  上記防災用品収納枕１内の筒体４の収納空間５は比較的狭いため、防災頭巾や非常食等を収納することはできないが、このようなものは予め防災リュックに入れて保管しておけば、地震や火災等の災害が発生した場合に必要最小限の携帯ラジオ，懐中電灯及び必要に応じてメガネ等がすぐに取り出せるため、これらを使用して前記防災リュックを容易に探すことができる。その後、余裕を持って自分自身の命を守るための迅速な避難ができることになる。
【図面の簡単な説明】
【００１６】
【図１】本考案の防災用品収納枕の構造を示す斜視図である。
【図２】本考案の防災用品収納枕の外観を示す斜視図である。
【図３】図１おけるＡ−Ａ断面図である。
【図４】図３の他の実施例における断面図である。
【符号の説明】
【００１７】    １  防災用品収納枕
２  枕本体
３  孔
４  筒体
５  収納空間
６  枕カバー
７  ファスナー
８  エラストマ樹脂体
【図１】
0003121309.tif 000003
【図２】
0003121309.tif 000004
【図３】
0003121309.tif 000005
【図４】
0003121309.tif 000006